(57)【要約】【課題】製造コストを低減しつつ、多種類のジョイント回路の仕様変更に対応することができるジョイントコネクタを提供すること。【解決手段】端子５０の端子収容室１１への挿入方向前端部に形成された端子接点５２ａに接触される接点パターン２２ａと、接点パターン２２ａから端面２０ａまでを繋ぐ連結パターン２２ｂと、を含む導電パターン２２が表面２０ｂに形成され、かつ、互いの端面２０ａを重ね合わせることによって互いの連結パターン２２ｂを電気的に接続可能な複数の分割プレート２０を有し、コネクタハウジング１０は、複数の端子５０が端子収容室１１に収容された状態で、それぞれの端子５０の端子接点５２ａに対応する導電パターン２２の接点パターン２２ａを接触させる位置、かつ、互いの端面２０ａを重ね合わせて一枚のプレート状に複数の分割プレート２０を保持するプレート保持部１３が設けられる。【選択図】図１
2020173894.tif 000002
【特許請求の範囲】
【請求項１】
コネクタハウジングの複数の端子収容室に収容される複数の端子の該端子収容室への挿入方向前端部に形成された端子接点に接触される接点パターンと、該接点パターンから端面までを繋ぐ連結パターンと、を含む導電パターンが表面に形成され、かつ、互いの前記端面を重ね合わせることによって互いの前記連結パターンを電気的に接続可能な複数の分割プレートを有し、
前記コネクタハウジングは、
前記複数の端子が前記端子収容室に収容された状態で、それぞれの前記端子の前記端子接点に対応する前記導電パターンの前記接点パターンを接触させる位置、かつ、互いの前記端面を重ね合わせて一枚のプレート状に前記複数の分割プレートを保持するプレート保持部が設けられ、
前記複数の分割プレートは、
各種の前記導電パターンが形成されたそれぞれの前記分割プレートを組み合わせて並べた状態で前記プレート保持部によって一枚のプレート状に保持されることによって、互いの前記連結パターンがジョイント回路に対応して電気的に接続される
ことを特徴とするジョイントコネクタ。
【請求項２】
前記プレート保持部に挿脱可能な枠状部材であり、前記複数の分割プレートを一枚のプレート状に保持するプレート保持枠を有する
ことを特徴とする請求項１に記載のジョイントコネクタ。
【請求項３】
前記複数の分割プレートは、
互いの前記端面を重ね合わせて一枚のプレート状にされた状態で、互いの前記連結パターンの接続部分が溶着されている
ことを特徴とする請求項１または２に記載のジョイントコネクタ。
【発明の詳細な説明】
【技術分野】
【０００１】
本発明は、ジョイント回路の電気的な接続部分に用いられるジョイントコネクタに関する。
【背景技術】
【０００２】
従来、一般的なジョイントコネクタとしては、コネクタハウジングに埋設されたブスバーから、雄端子としてタブ状に突出した複数のタブ状接続部分に、相手コネクタの複数の端子収容室に収容された複数の雌端子がコネクタ嵌合により電気的に接続されることによってジョイント回路が形成されるようになっている（例えば、特許文献１参照）。
【０００３】
特許文献１に記載されたジョイントコネクタは、ブスバーの基幹導体部を選択的に切断することによって仕様の異なるジョイント回路を形成するようにしているので、対応できる仕様の種類が少なく限られていた。
【０００４】
そこで、多種類の仕様に対応できるジョイントコネクタとして、特許文献２には、コネクタハウジングに挿脱可能なジョイント用プレートを有するものが記載されている。
【０００５】
特許文献２に記載のジョイントコネクタは、ジョイント用プレートの表面に導電パターンが形成されており、各種異なる導電パターンが形成されたジョイント用プレートの中から、仕様に応じた導電パターンが形成されたジョイント用プレートをコネクタハウジングに装着することができるようになっている。
この特許文献２に記載のジョイントコネクタは、ジョイント用プレートに形成された導電パターンの複数の接点部に接触される複数の端子がコネクタハウジングの複数の端子収容室に収容される。各端子は、接点部に接触される部分が先端部に設けられており、各端子収容室に収容された状態でジョイント用プレートの各接点部に接触するようになっている。
【先行技術文献】
【特許文献】
【０００６】
【特許文献１】特開平９−２１３４３６号公報
【特許文献２】特開２０１４−１３６５４号公報
【発明の概要】
【発明が解決しようとする課題】
【０００７】
しかしながら、特許文献２に記載されたジョイントコネクタは、導電パターンの一部を変更するだけの僅かな仕様変更の場合であっても、その一部を変更したジョイント用プレートを新たに準備する必要があるため、製造コストがかかる問題があった。
【０００８】
本発明は、上記に鑑みてなされたものであって、製造コストを低減しつつ、多種類のジョイント回路の仕様変更に対応することができるジョイントコネクタを提供することを目的とする。
【課題を解決するための手段】
【０００９】
上述した課題を解決し、目的を達成するために、本発明に係るジョイントコネクタは、コネクタハウジングの複数の端子収容室に収容される複数の端子の該端子収容室への挿入方向前端部に形成された端子接点に接触される接点パターンと、該接点パターンから端面までを繋ぐ連結パターンと、を含む導電パターンが表面に形成され、かつ、互いの前記端面を重ね合わせることによって互いの前記連結パターンを電気的に接続可能な複数の分割プレートを有し、前記コネクタハウジングは、前記複数の端子が前記端子収容室に収容された状態で、それぞれの前記端子の前記端子接点に対応する前記導電パターンの前記接点パターンを接触させる位置、かつ、互いの前記端面を重ね合わせて一枚のプレート状に前記複数の分割プレートを保持するプレート保持部が設けられ、前記複数の分割プレートは、各種の前記導電パターンが形成されたそれぞれの前記分割プレートを組み合わせて並べた状態で前記プレート保持部によって一枚のプレート状に保持されることによって、互いの前記連結パターンがジョイント回路に対応して電気的に接続されることを特徴とする。
【００１０】
また、本発明に係るジョイントコネクタは、上記の発明において、前記プレート保持部に挿脱可能な枠状部材であり、前記複数の分割プレートを一枚のプレート状に保持するプレート保持枠を有することを特徴とする。
【００１１】
また、本発明に係るジョイントコネクタは、上記の発明において、前記複数の分割プレートは、互いの前記端面を重ね合わせて一枚のプレート状にされた状態で、互いの前記連結パターンの接続部分が溶着されていることを特徴とする。
【発明の効果】
【００１２】
本発明に係るジョイントコネクタは、コネクタハウジングの複数の端子収容室に収容される複数の端子の該端子収容室への挿入方向前端部に形成された端子接点に接触される接点パターンと、該接点パターンから端面までを繋ぐ連結パターンと、を含む導電パターンが表面に形成され、かつ、互いの前記端面を重ね合わせることによって互いの前記連結パターンを電気的に接続可能な複数の分割プレートを有している。
また、本発明に係るジョイントコネクタは、前記コネクタハウジングが、前記複数の端子が前記端子収容室に収容された状態で、それぞれの前記端子の前記端子接点に対応する前記導電パターンの前記接点パターンを接触させる位置、かつ、互いの前記端面を重ね合わせて一枚のプレート状に前記複数の分割プレートを保持するプレート保持部が設けられている。
このような本発明に係るジョイントコネクタは、前記複数の分割プレートが、各種の前記導電パターンが形成されたそれぞれの前記分割プレートを組み合わせて並べた状態で前記プレート保持部によって一枚のプレート状に保持されることによって、互いの前記連結パターンがジョイント回路に対応して電気的に接続される。
従って、本発明に係るジョイントコネクタは、各種の前記導電パターンが形成された前記複数の分割プレートを組み合わせて一枚のプレート状に保持することによって、前記導電パターンの一部を変更するだけの僅かな仕様変更を含むジョイント回路の各種仕様変更に対応することができるので、製造コストを低減しつつ、多種類のジョイント回路の仕様変更に対応することができる。
【図面の簡単な説明】
【００１３】
【図１】図１は、本発明の実施例に係るジョイントコネクタの分解斜視図である。
【図２】図２は、本発明の実施例に係るジョイントコネクタの斜視図である。
【図３】図３は、図２に示したジョイントコネクタの断面図である。
【図４】図４は、分割プレートに形成された接点パターンに接触される端子の構成を説明するための図であり、（ａ）が端子の斜視図であり、（ｂ）が端子の断面図である。
【図５】図５は、プレート保持枠によって一枚のプレート状に保持された１０枚の分割プレートの斜視図である。
【図６】図６は、（ａ）が互いの端面を重ね合わせて一枚のプレート状にされた１０枚の分割プレートの斜視図であり、（ｂ）がプレート保持枠の斜視図である。
【図７】図７は、分割プレートに形成される異なる種類の導電パターンの各部を説明するための図である。
【図８】図８は、各種類の導電パターンが形成された複数の分割プレートを一枚のプレート状に保持した状態を（ａ）および（ｂ）の２例示した図である。
【発明を実施するための形態】
【００１４】
以下、図面を参照して、本発明に係るジョイントコネクタの好適な実施例を詳細に説明する。
【実施例】
【００１５】
図１は、本発明の実施例に係るジョイントコネクタ１の分解斜視図である。図２は、本発明の実施例に係るジョイントコネクタ１の斜視図である。図３は、図２に示したジョイントコネクタ１の断面図である。図４は、分割プレート２０に形成された接点パターン２２ａに接触される端子５０の構成を説明するための図であり、（ａ）が端子５０の斜視図であり、（ｂ）が端子５０の断面図である。図５は、プレート保持枠３０によって一枚のプレート状に保持された１０枚の分割プレート２０の斜視図である。図６は、（ａ）が互いの端面を重ね合わせて一枚のプレート状にされた１０枚の分割プレート２０の斜視図であり、（ｂ）がプレート保持枠３０の斜視図である。図７は、分割プレート２０に形成される異なる種類の導電パターン２２の各部を説明するための図である。図８は、各種類の導電パターン２２が形成された複数の分割プレート２０を一枚のプレート状に保持した状態を（ａ）および（ｂ）の２例示した図である。
なお、図１−図３には、ジョイントコネクタ１に接続される１０本の端子付き電線６０についても示している。
また、図８は、実施例の１０枚の分割プレートとは異なる枚数、かつ、異なる導電パターンを含む分割プレート２０を一枚のプレート状に保持したものを示している。
また、説明の便宜上、図１に示すような座標軸によって前後左右上下方向を定めている。
【００１６】
本発明の実施例に係るジョイントコネクタ１は、例えば、車両に配索されるワイヤハーネスに含まれる１０本の電線Ｗのジョイント部分に用いられるものであり、１０本の電線Ｗの端末部に取り付けられた１０個の端子５０を介して１０本の電線Ｗに電気的に接続されることによってジョイント回路を形成するものである。
【００１７】
このジョイントコネクタ１は、コネクタハウジング１０と、１０枚の分割プレート２０と、プレート保持枠３０と、ハウジングカバー４０と、を有する。
【００１８】
まず、特許文献２にも記載されている公知な端子５０について説明する。
端子５０は、金属板のプレス加工品であり、図１および図３に示すように、端子付き電線６０の端子５０として電線Ｗの端末部に取り付けられている。
この端子５０は、図４に示すように、端子本体部５１と、端子接点部５２と、端子本体部５１の後端側に連接された電線接続部５３と、を有する。
【００１９】
端子本体部５１は、金属板の折り曲げ加工によって角筒状に形成された部分である。
この端子接点部５２は、端子本体部５１の先端部より前方に端子接点５２ａを突出するように設けられている。
【００２０】
より具体的には、端子接点部５２は、端子本体部５１の側壁を構成する壁の一部から端子５０の先端側に舌片状に延出した先端部分を折り返すことによって、その折り返し部分が端子接点５２ａになっている。
この端子接点５２ａは、端子５０の端子収容室１１への挿入方向前端部に形成され、分割プレート２０の表面２０ｂに形成された後述する接点パターン２２ａに接触される部分である。
【００２１】
端子接点部５２は、適度の湾曲形状に成形することによって板ばねとして機能し、後方に向かって弾性変位することができるようになっている。
【００２２】
電線接続部５３は、電線Ｗに圧着接続される部分である。この電線接続部５３は、電線Ｗの外部被覆Ｗ１に圧着接続される部分である被覆圧着部５３ａと、電線Ｗの導体露出部分Ｗ２に圧着接続される部分である導体圧着部５３ｂと、を有する。
【００２３】
次に、コネクタハウジング１０について説明する。
コネクタハウジング１０は、絶縁樹脂製のブロック体であり、１０個の端子収容室１１と、プレート保持部１３と、端部開口部１４と、を有する。
【００２４】
１０個の端子収容室１１は、この実施例では、図１に示すように、コネクタハウジング１０の上下方向に２行、左右方向に５列設けられている。
各端子収容室１１は、コネクタハウジング１０の後端に形成された端子挿入口１１ａ（図３参照）から前方の後述するプレート挿入空間１３ｂまで貫通するように形成された空間になっている。
各端子収容室１１にそれぞれ収容された１０個の端子５０は、係止ランス１２によって抜け止め係止されるようになっている。
【００２５】
プレート保持部１３は、１０個の端子５０が端子収容室１１に収容された状態で、それぞれの端子５０の端子接点５２ａに対応する導電パターン２２の接点パターン２２ａを接触させる位置、かつ、互いの端面２０ａを重ね合わせて一枚のプレート状に複数の分割プレート２０を保持する部分である。
【００２６】
このプレート保持部１３は、コネクタハウジング１０の上面に形成されたプレート挿入口１３ａと、後述するプレート保持枠３０によって一枚のプレート状に保持された１０枚の分割プレート２０をプレート挿入口１３ａからコネクタハウジング１０内に挿入する空間であるプレート挿入空間１３ｂと、を有する。
【００２７】
プレート挿入空間１３ｂは、１０個の端子収容室１１の先端側開口１１ｂと連通するようにコネクタハウジング１０の先端部に２行５列で並ぶ端子収容室１１の先端側開口１１ｂを横切るように形成されている。
【００２８】
各端子収容室１１内に係止ランス１２によって係止されたそれぞれの端子５０は、端子接点５２ａがプレート挿入空間１３ｂ内に突出するように位置決めされている。
【００２９】
端部開口部１４は、図１に示すように、１０個の端子収容室１１の先端側開口１１ｂに連通したプレート挿入空間１３ｂをコネクタハウジング１０の前端面側から臨む位置に形成された開口である。
すなわち、端部開口部１４は、プレート挿入空間１３ｂおよびプレート挿入空間１３ｂに連通する複数の端子収容室１１の先端側開口１１ｂをコネクタハウジング１０の前端側から外部に露出させる開口になっている。
【００３０】
次に、１０枚の分割プレート２０について説明する。
各分割プレート２０は、絶縁樹脂製の四角形状の板状部材であるプレート本体２１の表面に導電パターン２２が形成されている。
【００３１】
１０枚の分割プレート２０は、ジョイント回路の仕様に応じてコネクタハウジング１０の端子収容室１１の数に対応した１０枚を選定したものであり、不図示の連結手段や溶着手段によって、互いの端面２０ａ同士を重ね合わせることによって一枚のプレート状に保持される。
【００３２】
１０枚の分割プレート２０は、一枚のプレート状に保持された状態でプレート挿入空間１３ｂ内に配置されると、各分割プレート２０が各端子収容室１１の先端側開口１１ｂの前方側で、導電パターン２２が形成された表面２０ｂを先端側開口１１ｂに向かい合わせるように配置される。
【００３３】
つまり、１０枚の分割プレート２０は、コネクタハウジング１０の端子収容室１１の先端側開口１１ｂの外形寸法に対応した同一形状に統一され、かつ、上下方向に２行、左右方向に５列の端子収容室１１の並びに対応して２行、５列の並びで一枚のプレート状に保持される。
【００３４】
なお、この実施例では、コネクタハウジング１０の端子収容室１１の数が１０個であるものを示したが、端子収容室１１が、例えば、上下方向に２行、左右方向に４列の合計８個である場合、分割プレート２０は、ジョイント回路の仕様に応じた導電パターン２２の８枚が選定される。
選定された８枚の分割プレート２０は、図８に示すように、端子収容室１１の並びに対応して、上下方向に２行、左右方向に４列の並びで一枚のプレート状に保持される。
【００３５】
各分割プレート２０の表面２０ｂに形成された導電パターン２２は、端子接点５２ａに接触される接点パターン２２ａと、接点パターン２２ａから端面２０ａまでを繋ぐ連結パターン２２ｂと、を含む。
【００３６】
接点パターン２２ａは、図５に示すように、円形状のパターンであり、プレート本体２１の表面領域のうち、端子収容室１１に収容された端子５０の端子接点５２ａが接触される領域にパターン形成されている。
【００３７】
連結パターン２２ｂは、一端が接点パターン２２ａに繋がり、他端がプレート本体２１の端面２０ａまで延びた線状にパターン形成されている。
【００３８】
この連結パターン２２ｂは、図５に示した１０枚の分割プレート２０のように、接点パターン２２ａに１本の連結パターン２２ｂが繋がるもの以外に、図７に示すように、接点パターン２２ａに複数本の連結パターン２２ｂが繋がるようにしてもよい。
すなわち、分割プレート２０は、端子と１対１で対応し、１個の端子５０の端子接点５２ａに接触される１つの接点パターン２２ａと、接点パターン２２ａに、１または複数の連結パターン２２ｂが繋がっている。
【００３９】
なお、分割プレート２０は、図７に示した１枚の分割プレート２０のように、表面２０ｂに導電パターン２２を形成しないものを、１枚のプレート状に保持する複数の分割プレート２０のうちのいくつかに用いてもよい。
例えば、図８（ｂ）に示すように、８個の端子収容室１１に対応して選定された８枚の分割プレート２０のうち、ジョイント回路の仕様に応じて、３枚の分割プレート２０を導電パターン２２が形成されていないものを用いてもよい。
【００４０】
このような複数の分割プレート２０は、各種の導電パターン２２が形成されたそれぞれの分割プレート２０を組み合わせて並べた状態でプレート保持部１３によって一枚のプレート状に保持されることによって、互いの連結パターン２２ｂがジョイント回路に対応して電気的に接続される。
【００４１】
この実施例では、１０枚の分割プレート２０は、互いの端面２０ａを重ね合わせて一枚のプレート状にされた状態で、互いの連結パターン２２ｂの接続部分を溶着することによって電気的な接続信頼性を向上させている。
なお、溶着の種類としては、例えば、超音波溶着、あるいは、摩擦撹拌溶着が挙げられる。
【００４２】
次に、プレート保持枠３０について説明する。
プレート保持枠３０は、プレート保持部１３に挿脱可能な枠状部材であり、図５に示すように、互いに保持された１０枚の分割プレート２０を一枚のプレート状に保持するものである。
【００４３】
このプレート保持枠３０は、図６（ｂ）に示すように、一対の側壁３１、３１と、一対の側壁３１、３１の間を繋ぐ支持壁３２と、一対の係合突起３３、３３と、を有する。
【００４４】
一対の側壁３１、３１は、互いの端面２０ａを重ね合わせて一枚のプレート状にされる１０枚の分割プレート２０の重ね合わせ体２３（図６（ａ）参照））を、重ね合わせ体２３の左右方向両端縁面２３ａ、２３ａ側から挟持する面となる一対の挟持面３１ａが形成されている。
一対の挟持面３１ａは、左右方向での互いの離間間隔が、重ね合わせ体２３の左右方向での幅に略等しい幅になるように設定されている。
【００４５】
支持壁３２は、重ね合わせ体２３の導電パターン２２が形成される表面２０ｂと反対側の裏面に接することによって裏面２０ｃ側から重ね合わせ体２３を支持するプレート支持面３２ａが形成されている。
プレート支持面３２ａは、重ね合わせ体２３の裏面２０ｃと略等しい面積に設定されている。
【００４６】
一対の係合突起３３、３３は、プレート保持枠３０がプレート挿入空間１３ｂの挿入完了位置に配置された状態で、コネクタハウジング１０の一対の係合凹部１５、１５に係合する部分である。
各係合突起３３、３３は、一対の側壁３１、３１のそれぞれの上端部に突設されている。
【００４７】
プレート保持枠３０は、一対の係合突起３３、３３が一対の係合凹部１５、１５に係合することによって、コネクタハウジング１０に固定されるようになっている。
【００４８】
このようなプレート保持枠３０の一対の挟持面３１ａ、３１ａの間に、上下方向に２行、左右方向に５列の並びで１０枚の分割プレート２０を嵌め込むことによって、１０枚の分割プレート２０が一枚のプレート状に保持される。
【００４９】
次に、ハウジングカバー４０について説明する。
ハウジングカバー４０は、コネクタハウジング１０の端部開口部１４を塞ぐカバーである。
このハウジングカバー４０は、絶縁樹脂製であり、図１に示すように、カバー板部４１と、プレート保持部４２と、ハウジング係合部４３と、を有する。
【００５０】
カバー板部４１は、端部開口部１４を塞ぐ部分であり、コネクタハウジング１０の端部開口部１４の開口内縁面に沿って嵌め込まれる外形形状に設定された平板状部分である。
【００５１】
プレート保持部４２は、プレート挿入空間１３ｂに挿入完了されたプレート保持枠３０がプレート挿入口１３ａから抜け出すことを阻止する部分である。
このプレート保持部４２は、図１に示すように、カバー板部４１の上端部内面側に立設され、端部開口部１４からコネクタハウジング１０内に挿入されことによって、図３に示すように、プレート保持枠３０の上端面の上側でプレート挿入口１３ａを塞ぐように配置される板状部分である。
【００５２】
ハウジング係合部４３は、一対の弾性接触片４４、４４を有する。
一対の弾性接触片４４、４４は、図１に示すように、プレート保持部４２の後端面の左右方向両端部に設けられている。
この一対の弾性接触片４４、４４は、弾性アーム部４４ａの先端に設けられた係合突起４４ｂがコネクタハウジング１０の一対のカバー係合部１６、１６に係合するようになっている。
【００５３】
このようなハウジングカバー４０は、一対の係合突起４４ｂ、４４ｂをコネクタハウジング１０の一対のカバー係合部１６、１６に係合させることによって、コネクタハウジング１０に固定される。
コネクタハウジング１０に固定されたハウジングカバー４０は、カバー板部４１によってコネクタハウジング１０の端部開口部１４を塞ぎつつ、プレート保持部４２によってプレート保持枠３０がプレート挿入口１３ａから抜け出すことを阻止するようになっている。
【００５４】
次に、ジョイントコネクタ１の組み立て手順について説明する。
【００５５】
まず、作業者は、各種の導電パターン２２が形成された複数の分割プレート２０の中から、ジョイント回路の仕様に合致した組み合わせの１０枚の分割プレート２０を選び、選んだ１０枚の分割プレート２０をジョイント回路の仕様に対応した並びでプレート保持枠３０に嵌め込む。
このようにしてプレート保持枠３０に嵌め込まれた１０枚の分割プレート２０は、プレート保持枠３０によって、一枚のプレート状に保持され、互いの連結パターン２２ｂが端面を重ね合わせて電気的に接続される（図５参照）。
【００５６】
この実施例では、１０枚の分割プレート２０は、プレート保持枠３０に嵌め込む前、あるいは、プレート保持枠３０に嵌め込んだ後に、互いの端面２０ａを重ね合わせて一枚のプレート状にされた状態で、互いの連結パターン２２ｂの接続部分を溶着している。
なお、１０枚の分割プレート２０は、プレート保持枠３０に嵌め込むことによって、互いの端面２０ａを重ね合わせて一枚のプレート状に保持されることによって、互いの連結パターン２２ｂが電気的に接続されるようになっているので、溶着を施さなくてもよい。
【００５７】
次に、作業者は、１０枚の分割プレート２０が嵌め込まれたプレート保持枠３０を、プレート挿入口１３ａからプレート挿入空間１３ｂ内に挿入する。
プレート保持枠３０は、プレート挿入空間１３ｂへの挿入完了位置で、一対の係合突起３３、３３が一対の係合凹部１５、１５に係合することによってコネクタハウジング１０に固定される。
このようにしてプレート保持枠３０がプレート挿入空間１３ｂ内の所定位置に固定されることによって、１枚のプレート状に保持された１０枚の分割プレート２０がコネクタハウジング１０内の所定の位置に保持される。
より具体的には、１０枚の分割プレート２０は、各分割プレート２０に対応する１０個の端子５０が各端子収容室１１に収容された状態で、それぞれの端子５０の端子接点５２ａを接点パターン２２ａに接触させる位置に保持される。
【００５８】
最後に、作業者は、ハウジングカバー４０をコネクタハウジング１０に固定する。
作業者は、プレート保持部１３をコネクタハウジング１０の端部開口部１４からコネクタハウジング１０内に挿入して、ハウジング係合部４３の一対の係合突起４４ｂ、４４ｂをコネクタハウジング１０の一対のカバー係合部１６、１６に係合させることによって、ハウジングカバー４０をコネクタハウジング１０に固定する。
【００５９】
ハウジングカバー４０がコネクタハウジング１０に固定されることによって、コネクタハウジング１０の端部開口部１４がカバー板部４１によって塞がれるとともに、プレート保持部４２によってプレート保持枠３０、すなわち、一枚のプレート状に保持された１０枚の分割プレート２０がプレート挿入口１３ａから抜け出すことが阻止される。
【００６０】
このようにして組立完了されたジョイントコネクタ１の各端子収容室１１に、１０個の端子５０が収容されると、各端子５０の端子接点５２ａが対応する分割プレート２０の接点パターン２２ａに接触される。
すなわち、１０個の端子５０が各端子収容室１１に収容されることによって、一枚のプレート状に保持された１０枚の分割プレート２０によって形成された導電パターン２２を通したジョイント回路が形成される。
【００６１】
本発明の実施例に係るジョイントコネクタ１は、コネクタハウジング１０の１０個の端子収容室１１に収容される１０個の端子５０の端子収容室１１への挿入方向前端部に形成された端子接点５２ａに接触される接点パターン２２ａと、接点パターン２２ａから端面２０ａまでを繋ぐ連結パターン２２ｂと、を含む導電パターン２２が表面２０ｂに形成され、かつ、互いの端面２０ａを重ね合わせることによって互いの連結パターン２２ｂを電気的に接続可能な１０枚の分割プレート２０を有している。
また、本発明の実施例に係るジョイントコネクタ１は、コネクタハウジング１０が、１０個の端子５０が端子収容室１１に収容された状態で、それぞれの端子５０の端子接点５２ａに対応する導電パターン２２の接点パターン２２ａを接触させる位置、かつ、互いの端面２０ａを重ね合わせて一枚のプレート状に１０枚の分割プレート２０を保持するプレート保持部１３が設けられている。
このような本発明の実施例に係るジョイントコネクタ１は、１０枚の分割プレート２０が、各種の導電パターン２２が形成されたそれぞれの分割プレート２０を組み合わせて並べた状態でプレート保持部１３によって一枚のプレート状に保持されることによって、互いの連結パターン２２ｂがジョイント回路に対応して電気的に接続される。
従って、本発明の実施例に係るジョイントコネクタ１は、各種の導電パターン２２が形成された１０枚の分割プレート２０を組み合わせて一枚のプレート状に保持することによって、導電パターン２２の一部を変更するだけの僅かな仕様変更を含むジョイント回路の各種仕様変更に対応することができるので、製造コストを低減しつつ、多種類のジョイント回路の仕様変更に対応することができる。
【００６２】
また、本発明の実施例に係るジョイントコネクタ１は、プレート保持部１３に挿脱可能な枠状部材であり、１０枚の分割プレート２０を一枚のプレート状に保持するプレート保持枠３０を有する。このため、本発明の実施例に係るジョイントコネクタ１は、コネクタハウジング１０から取り出した状態のプレート保持枠３０に１０枚の分割プレート２０をセットすることによって、１０枚の分割プレート２０を容易に一枚のプレート状に保持することができる。
しかも、本発明の実施例に係るジョイントコネクタ１は、１０枚の分割プレート２０をプレート保持枠３０によって保持した状態で、プレート保持部１３によってプレート保持枠３０を介して一枚のプレート状に保持されるので、１０枚の分割プレート２０を一枚のプレート状として保持する保持強度を高めることができる。
【００６３】
また、本発明の実施例に係るジョイントコネクタ１は、１０枚の分割プレート２０が、互いの端面２０ａを重ね合わせて一枚のプレート状にされた状態で、互いの連結パターン２２ｂの接続部分が溶着されているので、互いの連結パターン２２ｂの接続部分の結合強度を高め、結果的に、電気的な接続信頼性を向上させることができる。
【００６４】
なお、本発明の実施例に係るジョイントコネクタ１は、１０枚の分割プレート２０を一枚のプレート状に保持するものを例示したが、分割プレート２０の数は１０枚に限定されない。すなわち、複数の分割プレート２０を一枚のプレート状に保持することによって各種の仕様に対応したジョイント回路を形成することができれば、分割プレート２０の数はその他の枚数であってもよい。
【００６５】
また、本発明の実施例に係るジョイントコネクタ１は、プレート保持枠３０を有するものを例示したが、プレート保持枠３０を用いずに複数の分割プレート２０をプレート保持部１３のみで一枚のプレート状に保持するようにしてもよい。
このようにプレート保持枠３０を用いず、プレート保持部１３のみで複数の分割プレート２０を一枚のプレート状に保持する場合、例えば、分割プレート２０の板厚をプレート挿入口１３ａの幅に合わせて厚くする。
【００６６】
以上、本発明者によってなされた発明を、上述した発明の実施例に基づき具体的に説明したが、本発明は、上述した発明の実施例に限定されるものではなく、その要旨を逸脱しない範囲において種々変更可能である。
【符号の説明】
【００６７】
１        ジョイントコネクタ
１０      コネクタハウジング
１１      端子収容室
１１ａ    端子挿入口
１１ｂ    先端側開口
１２      係止ランス
１３      プレート保持部
１３ａ    プレート挿入口
１３ｂ    プレート挿入空間
１４      端部開口部
１５      係合凹部
１６      カバー係合部
２０      分割プレート
２０ａ    端面
２０ｂ    表面
２０ｃ    裏面
２１      プレート本体
２２      導電パターン
２２ａ    接点パターン
２２ｂ    連結パターン
２３      重ね合わせ体
２３ａ    端縁面
３０      プレート保持枠
３１      側壁
３１ａ    挟持面
３２      支持壁
３２ａ    プレート支持面
３３      係合突起
４０      ハウジングカバー
４１      カバー板部
４２      プレート保持部
４３      ハウジング係合部
４４      弾性接触片
４４ａ    弾性アーム部
４４ｂ    係合突起
５０      端子
５１      端子本体部
５２      端子接点部
５２ａ    端子接点
５３      電線接続部
５３ａ    被覆圧着部
５３ｂ    導体圧着部
６０      端子付き電線
Ｗ        電線
Ｗ１      外部被覆
Ｗ２      導体露出部分
【図１】
2020173894.tif 000003
【図２】
2020173894.tif 000004
【図３】
2020173894.tif 000005
【図４】
2020173894.tif 000006
【図５】
2020173894.tif 000007
【図６】
2020173894.tif 000008
【図７】
2020173894.tif 000009
【図８】
2020173894.tif 000010